(57)【特許請求の範囲】
【請求項１】
内部に画成した収納部(20)に熱風を強制循環することで、該収納部(20)に収納した管体(C)を乾燥する保管庫において、
前記収納部(20)を内面により画成する一方、底部空間(14c)を介して該収納部(20)と連通する側部空間(14b)を外面により画成する側板(18)と、
前記側部空間(14b)を下降して前記収納部(20)の下部に至るよう熱風を吹き出す送風機(16)と、
前記収納部(20)に配設され、該収納部(20)を上昇する熱風の流れに沿うよう前記管体(C)を垂れ下がる状態で保持する保持部材(40)とを備える
ことを特徴とする保管庫。
【請求項２】
前記保持部材(40)は、複数の切り込みにより分割された複数の保持片(47a)からなる管体保持部(47)を有する弾性変形可能なシート状の保持体(46)と、この保持体(46)の少なくとも一方の表面側に積層され、該保持体(46)の形状を維持すると共に、該管体保持部(47)と対応する位置に管体(C)の挿通を許容する貫通孔(44a)を有する板状の構造体(44)とを備え、前記管体保持部(47)に差し込まれた管体(C)によって弾性変形した保持片(47a)で該管体(C)を保持するように構成した請求項１記載の保管庫。
【請求項３】
前記収納部(20)に、幅方向に対向する一対の係合手段(30,30)が上下方向に離間して複数配設され、前記保持部材(40)が対向する係合手段(30,30)間に着脱自在に架設されている請求項１または２記載の保管庫。
【請求項４】
前記保持部材(40)の幅方向両側に、前記係合手段(30,30)にスライド自在に支持されるレール部(48,48)が設けられ、該レール部(48,48)を係合手段(30,30)に支持することで、該保持部材(40)は該係合手段(30,30)に沿って該収納部(20)から引き出し自在に構成される請求項３記載の保管庫。
【発明の詳細な説明】
【技術分野】
【０００１】
本発明は、内部に収納される管体を好適に乾燥させるようにした保管庫に関するものである。
【背景技術】
【０００２】
食器等の乾燥対象物に熱風を当てて加熱することで消毒させつつ乾燥する熱風式の保管庫は、断熱箱体の内部に、所要の空間を介して収納部を備え、該収納部内に多段で配設した棚に、乾燥対象物(以下、単に対象物と云う)を収容したカゴが載置されるようになっている。そして、前記空間に配設した送風機およびヒータを用いて、収納部内に熱風を強制循環させている。具体的には、収納部内に下から上に熱風を流すことで、該収納部内に収納されている対象物が加熱されて消毒・乾燥されるようになっている。
【０００３】
前記対象物として、体液並びに細菌およびウィルス等の病原微生物が使用によって付着する医療器具が挙げられる。この医療器具には多様な種類があり、その１つとして呼吸器用等の用途に使用される各種管体がある。このような管体は、先ずその管内を殺菌力のある消毒液等の薬液で充分に洗浄し、その後、該薬液を保管庫内で乾燥させつつ加熱消毒することで再利用に供されていた。一般に、前述した管体の消毒・乾燥は、その長尺な形状故に、前記カゴ内に巻かれて載置された状態や、例えば棚等に該管体の略中央部に引っ掛けて下向きのＵ字状態に保持して実施されていた。
【発明の開示】
【発明が解決しようとする課題】
【０００４】
しかしこのような状態で管体を乾燥させる場合、以下の問題が指摘されていた。すなわち、管体を巻いた状態で加熱して消毒乾燥する場合、該管体内の薬液がいつまでも乾燥できずに残留してしまい、充分な加熱消毒ができない。また、棚等に引っ掛ける場合、内部に薬液が残留することはないものの、引っ掛けられる該棚の部分で管体が折れ曲がった状態となるため、収納部内に流れる熱風を管体内に取り込むことができず効率的な消毒乾燥ができない。そして、加熱乾燥が不充分であると、管体内に残留する水分により雑菌が繁殖し、再利用に際して使用者の健康を害する虞がある。
【０００５】
すなわち本発明は、前述した従来の技術に内在している前記課題に鑑み、これを好適に解決するべく提案されたものであって、チューブ等の管体の内部を好適に加熱して乾燥させ得る保管庫を提供することを目的とする。
【課題を解決するための手段】
【０００６】
前記課題を克服し、所期の目的を達成するため、請求項１に記載の発明に係る保管庫は、
内部に画成した収納部に熱風を強制循環することで、該収納部に収納した管体を乾燥する保管庫において、
前記収納部を内面により画成する一方、底部空間を介して該収納部と連通する側部空間を外面により画成する側板と、
前記側部空間を下降して前記収納部の下部に至るよう熱風を吹き出す送風機と、
前記収納部に配設され、該収納部を上昇する熱風の流れに沿うよう前記管体を垂れ下がる状態で保持する保持部材とを備えることを特徴とする。
従って、請求項１に係る発明によれば、管体を垂れ下がる状態に保持するから、該管体の内部に熱風を循環させて好適に加熱して乾燥させ得る。
【０００７】
請求項２に記載の発明では、前記保持部材は、複数の切り込みにより分割された複数の保持片からなる管体保持部を有する弾性変形可能なシート状の保持体と、この保持体の少なくとも一方の表面側に積層され、該保持体の形状を維持すると共に、該管体保持部と対応する位置に管体の挿通を許容する貫通孔を有する板状の構造体とを備え、前記管体保持部に差し込まれた管体によって弾性変形した保持片で該管体を保持するように構成したことを要旨とする。
従って、請求項２に係る発明によれば、管体を管体保持部に差し込むだけで管体の保持部材への取り付けが可能になるから、保持部材への管体の取り付けが容易になる。
【０００８】
請求項３に記載の発明では、前記収納部に、幅方向に対向する一対の係合手段が上下方向に離間して複数配設され、前記保持部材が対向する係合手段間に着脱自在に架設されていることを要旨とする。
従って、請求項３に係る発明によれば、収納部に保持して乾燥する管体の長さに応じて好適な高さに保持部材を配設できるから、該収納部の容積を最大限に利用して一度に大量の該管体を乾燥させ得る。
【０００９】
請求項４に記載の発明では、前記保持部材の幅方向両側に、前記係合手段にスライド自在に支持されるレール部が設けられ、該レール部を係合手段に支持することで、該保持部材は該係合手段に沿って該収納部から引き出し自在に構成されることを要旨とする。
従って、請求項４に係る発明によれば、保持部材を収納部から引き出した状態で管体を取り付け・取り外し可能となるから、管体の取り付け・取り外しを好適に実施し得る。
【発明の効果】
【００１０】
本発明に係る保管庫によれば、管体の内部を好適に加熱して乾燥し得る。
【発明を実施するための最良の形態】
【００１１】
次に、本発明に係る保管庫につき、好適な実施例を挙げて、添付図面を参照して以下説明する。なお、明細書中の説明において「前後」「左右」とは、実施例に係る保管庫を正面側からみた状態での左右(図１における左右方向であり、収納部の幅方向) 前後(図２における上下方向であり、収納部の奥行方向)を意味する。また、「熱風」の語は、少なくとも乾燥対象物である管体を乾燥させるに足る温度を有する風を指し、温度が例えば８０℃以上である等の一般的な熱風に限定されない。
【００１２】
実施例に係る保管庫１０は、図１に示す如く、前方に開口する外装と内装との間に断熱材を充填した断熱構造の断熱箱体１２と、この断熱箱体１２の上部に配設されて機械室２２を内部画成するキャビネット２４とから構成される。前記断熱箱体１２の内部には、その内壁と所要の空間１４を保持するように収納部２０が画成され、該収納部２０に乾燥(消毒)対象物であるチューブ(管体)Ｃが保持される保持部材４０が出し入れ可能に配設されている。なお、前記断熱箱体１２の前側開口は、図示しない断熱扉により開閉可能に閉成されるようになっている。また、図１における矢印は、断熱箱体１２内の風の流れを表している。
【００１３】
前記空間１４は、収納部２０の天板１７の上部に画成される上部空間１４ａと、収納部２０の幅方向に対向する両側板１８,１８の外部に画成されて上部空間１４ａと連通する側部空間１４ｂ,１４ｂと、断熱箱体１２内に画成されて収納部２０の下方に臨む底部空間１４ｃとで構成されている(図１参照)。ここで、前記底部空間１４ｃと各側部空間１４ｂとは、該側部空間１４ｂの下端に形成された各吹出口１９を介して連通している。また、収納部２０は、その天板１７の中央部に形成した吸込口１７ａを介して上部空間１４ａに連通すると共に底部空間１４ｃに連通し、更には各側板１８に形成した複数の通孔１８ａを介して各側部空間１４ｂと連通している。また、前記上部空間１４ａには、送風機１６およびヒータ１５が配設され、該送風機１６を運転することで吸込口１７ａを介して上部空間１４ａに吸い込んだ収納部２０内の空気を、ヒータ１５と熱交換して所定温度にまで加熱した後に側部空間１４ｂ,１４ｂに向けて吹き出すように構成される。
すなわち熱風は、空間１４では上方から下方に向けて流通し、収納部２０では下方から上方に向けて流通し、保管庫１０内を強制的に循環するようになっている。
【００１４】
前記機械室２２の前面を覆うフロントパネル２４ａ(キャビネット２４)には、保管庫１０の使用者が保管庫１０の作動に係る温度・時間等の各種設定等を入力するための各スイッチや運転開始終了を操作する運転ボタン等や、該保管庫１０の作動状態等を確認する操作出力部２６が配設されている。ここで、操作出力部２６の各スイッチやボタン等は、機械室２２に配設された制御装置(図示せず)に接続されている。また、前記操作出力部２６には、保管庫１０の稼働および停止等の動作状態や、加熱(消毒)条件(設定温度、設定時間等)の表示を行なう表示部２６ａと、該保管庫１０の作動状態を音によって使用者に知らせるブザー２６ｂとが設けられている。そして、保管庫１０の運転終了時には、前記表示部２６ａに終了の表示がされると共に、ブザー２６ｂが所定時間の間、運転終了を知らせる音を発するように制御される。
【００１５】
前記収納部２０には、図２に示す如く、該収納部２０から出し入れ自在、すなわち前後方向に移動自在な保持部材４０が上下に所定間隔離間して多段的に配設可能になっている。本実施例において保持部材４０は、収納部２０の天板１７の近傍に配置されている(図１参照)。そして、保持部材４０は、熱風の循環経路(流れ)に沿って乾燥対象物であるチューブＣが略垂直に垂れ下がる状態で保持されるように構成されている。前記収納部２０の幅方向に対向する両側板１８,１８の夫々には、前後方向に離間して２本の棚柱(支柱)２８,２８が、該収納部２０の略全高に亘って取り付けられている(図１参照)。各棚柱２８には、上下方向に所定間隔で複数の係止孔(図示せず)が設けてあり、この係止孔を利用して、図３に示す如く、保持部材４０を前後方向に移動可能に配設する支持レール(係合手段)３０が着脱可能に係止されるようになっている。
【００１６】
前記支持レール３０は、収納部２０に保持部材４０を前後方向に移動可能に配設する部材である。前記支持レール３０は、棚柱２８,２８に係止して取り付けた際に、収納部２０内に向かって水平に延出する水平部３０ａと、該水平部３０ａの延出端部から上方に向かって延出する垂直部３０ｂとを備える(図３参照)。そして、収納部２０の幅方向の両側に設けられる計４本の棚柱２８の夫々に同一の高さで設けられた係止孔に対して、取り付けられて幅方向に対向する一対の支持レール３０,３０によって、保持部材４０が水平に支持されるように構成されている(図１参照)。
【００１７】
また、前記垂直部３０ｂの後側の所要位置には、収納部２０の外側に向けて突出する突部３０ｃが設けられると共に、保持部材４０(各レール部４８(後述))には、収納部２０に収納された際に該突部３０ｃと係合する凹部４８ａが対応的に設けられている。この突部３０ｃと凹部４８ａとは、保持部材４０を収納部２０に収納した際の位置を固定するストッパとしての役割を果たすもので、突部３０ｃと凹部４８ａとが係合することで該保持部材４０が収納部２０から不用意に飛び出した状態とならないように構成されている。なお、支持レール３０の上方には、収納部２０から前方に保持部材４０が引き出された際に、該保持部材４０がバランスを崩して前方に傾斜しないように押さえるための押さえ部材(図示せず)が設けられている。
【００１８】
前記保持部材４０は、図４に示す如く、上下両表面側をなす板状の構造体４４,４４と、両構造体４４,４４の間に挟まれるシート状の保持体４６とから基本的に構成される。保持体４６は、耐熱性を備えて弾性変形可能な材質から形成され、十字形となる切り込みにより分割された複数の保持片４７ａ(実施例では４つ)からなる管体保持部４７が複数箇所(実施例では９箇所)の設けられている。すなわち、管体保持部４７の中央部に、チューブＣを下側から上方に向けて差し込むことで、該管体保持部４７をなす複数の保持片４７ａが上方に開くように弾性変形するため、該チューブＣは容易に保持体４６に取り付けられて保持された状態となるよう構成されている(図１参照)。なお、本実施例においては、上下の両構造体４４,４４および保持体４６は、図示しないネジおよびナット等の公知の手段によって固定されるようになっている。
【００１９】
保持体４６を形成する弾性変形可能な材質の耐熱性は、チューブＣを加熱(消毒)するために設定される温度に耐え得る程度に設定され、本実施例においては、当該材質として耐熱性および耐薬品性に優れたシリコーンゴムが採用されている。そして、その厚さは、管体保持部４７の中央部にチューブＣを下側から上方に向けて差し込んだ際に、該チューブＣが差し込まれた状態に保持される程度の弾性を確保すると共に、差し込まれた該チューブＣが保持片４７ａによって完全に押し潰されることがなく、該チューブＣの内部を熱風が流通し得る寸法とされる。
【００２０】
また、各構造体４４は、ゴム材質で形成されて単独では収納部２０に水平に配置し得ない保持体４６に剛性を付与して、該保持体４６の形状を維持して保持部材４０として水平状態を保持し得るようにする部材である。この構造体４４の厚さは、前述の水平状態を保持し得るだけの剛性を付与する程度に設定されると共に、該保持部材４０の取り扱い性の観点から重量を軽減すべく、できる限り薄い寸法とされる。また、各構造体４４には、保持部材４０を挟み込んだ場合に、各管体保持部４７にチューブＣを下方から挿通することを許容するように、該管体保持部４７に対応する位置に円形の貫通孔４４ａが夫々形成されている。
【００２１】
また、前記保持部材４０の幅(左右)方向の両端には、前記支持レール３０,３０に対応して、該支持レール３０,３０にスライド自在に支持されるレール部４８,４８が設けられている。各レール部４８は、一枚の板金を略コ字形状に屈曲形成したものであって、その開放端を下向きにした姿勢で保持部材４０が収納部２０に設置されるよう構成される。すなわち、前記両側板１８,１８の同一高さに形成された夫々の係止孔に係止・取り付けされ、収納部２０で左右方向に対向する一対の支持レール３０,３０に対してレール部４８,４８を係止することで、保持部材４０は収納部２０に出し入れ可能に支持される構造となっている。
【００２２】
(実施例の作用)
次に、前述のように構成された実施例の保管庫１０の作用について説明する。なお、収納部２０の天板１７の近傍に保持部材４０が配置され、該保持部材４０に取り付けて加熱により(消毒)乾燥するためのチューブＣが複数準備されているものとする。また、チューブＣの乾燥に好適な運転パターンがフロントパネル２４ａの各スイッチ等の操作によって、予め制御部に入力されているものとする。
【００２３】
前記チューブＣの保持部材４０への取り付けは、該保持部材４０を収納部２０の前面開口から前方へ所定距離だけ引き出した状態で実施される(図２の二点鎖線参照)。このように、保持部材４０を前方へ引き出した状態でチューブＣが取り付けられるので、該保持部材４０を収納部２０に収納した際に、該収納部２０の後ろ側に位置することになる管体保持部４７へのチューブＣの取り付けも容易になし得る。また、支持レール３０の上方に押さえ部材が設けられているため、収納部２０から前方へ引き出された保持部材４０がバランスを崩して前方に傾斜することはない。従って、常に保持部材４０は水平状態に保持されるため、該保持部材４０へのチューブＣの取り付け・取り外しを好適に行ない得る。
【００２４】
前記保持部材４０にチューブＣを保持する場合、図５に示す如く、該保持部材４０の下方に位置する構造体４４の貫通孔４４ａを介して、保持体４６における管体保持部４７にチューブＣの上端部を差し込み(図５(ａ)参照)、該チューブＣの上端部を保持体４６の下方から上方へ貫通させる(図５(ｂ)参照)。管体保持部４７の各保持片４７ａは、チューブＣの差し込みによって弾性変形するため、チューブＣは容易に保持体４６を貫通した状態になる。そして、保持体４６を貫通したチューブＣは、元の形状に回復しようとする保持片４７ａの弾性力によってその周面を外側から押圧的に保持され、下方に抜けようとする動きが抑制されるため、保持部材４０への取り付け状態が保持される(図５(ｃ)参照)。そして、このように保持体４６に取り付けられたチューブＣは、保持片４７ａの弾性力によって押し潰されて閉塞することはなく、熱風が該チューブＣの内部を下方から上方に向けて流通可能な状態で垂れ下がって保持された状態となる。
【００２５】
このようにして、チューブＣを取り付けた後の保持部材４０を押し込むことで、該保持部材４０は支持レール３０,３０に沿って収納部２０に収納される。すなわち、チューブＣは収納部２０内に保持された状態とされる。このとき、チューブＣは保持部材４０から垂れ下がった状態となっているため、該チューブＣ内に薬液等が残留していても自重によって容易に外部に排出される。
【００２６】
保持部材４０を収納部２０に収納した保管庫１０は、前面の断熱扉によって前面開口が閉成され、フロントパネル２４ａに設けられた運転ボタンを操作することで運転を開始する。収納部２０に収納された保持部材４０は、支持レール３０における突部３０ｃと、レール部４８における凹部４８ａとが係合した状態となって収納部２０での位置が固定されるため、保管庫１０の運転中に不用意に動くことはない。運転開始によって発生する熱風は、前述した如く、収納部２０を下方から上方へ流れることになるが、乾燥されるチューブＣは該熱風の流れに沿った状態となっているので好適に加熱され、該チューブＣの内部は短時間で効率的に乾燥される。
【００２７】
そして、予め設定した運転内容に沿って加熱による乾燥を実施した後に運転が終了すると、表示部２６ａに運転終了が表示されると共に、ブザー２６ｂが運転終了を知らせる音を発する。このように、運転終了が音として使用者に伝えられるので、使用者が他の作業を行なっている等の状態にあって、表示部２６ａでされる運転終了表示に気付かない場合であっても確実に運転終了を認識できる。なお、本実施例では、運転終了を知らせるブザー２６ｂは、「運転ボタンを押す」、「収納部２０前面の断熱扉を開ける」または「エラーが発生する」等のアクションによって停止するように構成されている。
【００２８】
加熱による乾燥が終了したチューブＣは、保持部材４０を収納部２０から前方へ引き出すことが可能となっているため、該収納部２０からの取り出しも容易である。また、管体保持部４７も下方から切り目を押し開くようにするだけで、チューブＣに対する保持片４７ａの押圧がなくなるため、保持部材４０からの取り外しも容易となっている。そして、チューブＣが取り外された後の保持片４７ａは、弾性回復によって自然に元の現状に戻る。すなわち、保管庫１０で乾燥されたチューブＣは、非常に簡単に取り出し可能であり、その後の未(消毒)乾燥のチューブＣの入れ替え取り付けも短時間で可能となっている。従って、時間当りの処理量を大きく向上させると共に、作業者の負担を軽減させ得る。
【００２９】
また、保持部材４０が、天板１７の近傍の高い位置に配設されると、収納部２０の高さを有効に使用し得る一方で、該天板１７に設けられる吸込口１７ａが該保持部材４０によって隠された状態となってしまう。しかし、本実施例では、保持部材４０は前後に移動可能に構成されているので、必要に応じて該保持部材４０を移動すれば吸込口１７ａのメンテナンス等も容易に行ない得る。
【００３０】
(変更例)
本発明は、実施例の構成に限定されず、以下の如く変更することも可能である。なお、変更例(１)の説明に係る図６および変更例(２)の説明に係る図７における矢印は、断熱箱体１２内の風の流れを表している。
(１)実施例では、収納部２０の天井部分に保持部材４０を１つ備えた構成となっているが、本発明はこれに限定されず、各棚柱２８には、上下方向に所定間隔で複数の係止孔が設けられているので、複数の保持部材４０を多段的に配置するようにしてもよい。この構成は、特に短いチューブＣを乾燥する場合に好適に利用される。例えば、チューブＣの長さ短い場合には、図６に示す如く、該収納部２０の天井部と、高さ位置中央部との２箇所の高さ位置に保持部材４０を夫々支持するようにすれば、同時に２倍のチューブＣが処理可能となる。
(２)(１)の変更例に関連して、チューブＣの長さが短く、収納部２０に余裕がある場合には、保持部材４０の代わりに、例えば、図７に示す如く、熱風の流通を許容する載置棚５０を支持レール３０,３０に取り付けるようにしてもよい。この場合、チューブＣ以外の一般的な乾燥対象物を載置棚５０上に載置することで同時に処理し得る。なお、載置棚５０は、レール部４８,４８については保持部材４０と略同一であり、構造体４４,４４および保持体４６の代わりに、水平状態を維持し得る剛性を備える網状部材５２が設けられた構造となっている。
(３)実施例では、管体保持部４７は、十字の切り込みにより４つの保持片４７ａを形成しているが、本発明はこれに限定されない。例えば、図８に示す如く、放射状に拡がる８本の切り込みにより分割された８つの保持片５４ａからなる管体保持部５４を等間隔で設けるような形状にしてもよい。
(４)また、(３)で述べた管体保持部５４以外に、例えば、図９に示す如く、切り込みにより分割された保持片５６ａからなると共に、該切れ込みの中央に孔部５６ｂを備えるような管体保持部５６も採用可能である。ここで、前記孔部５６ｂの径は、取り付けるチューブＣの外径より小さく設定される。このような構成とすることで、チューブＣを管体保持部５６に差し込んだ際に、保持片５６ａの弾性変形による該チューブＣの内径の減少を低減し得る。この変更例(４)では、保持片５６ａは切り込みによって４つに分割されているが上述の変更例(３)に記載の如く、分割数は限定されない。
(５)実施例では、収納部２０の両側面に支持レール３０,３０を設けて、これに保持部材４０を支持可能とすることで、該保持部材４０を前後に移動可能に構成したが、本発明はこれに限定されず、従来公知の各構成を採用し得る。
(６)実施例では、保持体４６はその上下両表面側に構造体４４,４４が備えられていたが本発明はこれに限定されず、該保持体４６の何れか一方の表面側だけに構造体４４を積層してもよい。
【図面の簡単な説明】
【００３１】
【図１】本発明の好適な実施例に係る保管庫の概略構成を一部切り欠いて示す縦断正面図である。
【図２】実施例に係る保持部材が収納部に配設される保管庫の要部概略横断平面図である。
【図３】実施例に係る保持部材の収納部に対する配設部分を示す拡大図である。
【図４】実施例に係る保持部材を構成する各部材を分離して示す斜視図である。
【図５】チューブを保持部材へ取り付ける過程を示す説明図である。
【図６】変更例(１)に係る保管庫の概略構成を一部切り欠いて示す縦断正面図である。
【図７】変更例(２)に係る保管庫の概略構成を一部切り欠いて示す縦断正面図である。
【図８】変更例(３)に係る保持部材を示す斜視図である。
【図９】変更例(４)に係る保持部材を示す平面図である。
【符号の説明】
【００３２】
１０  保管庫、２０  収納部、２８  棚柱(支柱)、３０  支持レール(係合手段)
４０  保持部材、４４  構造体、４４ａ  貫通孔、４６  保持体
４７  管体保持部、４７ａ  保持片、４８  レール部、Ｃ  チューブ(管体)
【図１】
0005116391.tif 000002
【図２】
0005116391.tif 000003
【図３】
0005116391.tif 000004
【図４】
0005116391.tif 000005
【図５】
0005116391.tif 000006
【図６】
0005116391.tif 000007
【図７】
0005116391.tif 000008
【図８】
0005116391.tif 000009
【図９】
0005116391.tif 000010